(57)【要約】【課題】特殊色の現像剤の使用量を低減させる。【解決手段】画像データを解析するデータ解析部と、前記データ解析部の解析結果に基づいて前記画像データから印刷画像を生成する画像生成部と、前記画像データに含まれ、前記印刷画像とともに媒体に印刷される位置標識を検出し、前記位置標識に基づいて領域を検出する領域検出部と、前記領域検出部が検出した領域に、特殊色の現像剤で印刷する画像を生成する特殊色画像生成部とを備えた。【選択図】        図１
2014006445.tif 000002
【特許請求の範囲】
【請求項１】
画像データを解析するデータ解析部と、
前記データ解析部の解析結果に基づいて前記画像データから印刷画像を生成する画像生成部と、
前記画像データに含まれ、前記印刷画像とともに媒体に印刷される位置標識を検出し、前記位置標識に基づいて領域を検出する領域検出部と、
前記領域検出部が検出した領域に、特殊色の現像剤で印刷する画像を生成する特殊色画像生成部とを有することを特徴とする画像処理装置。
【請求項２】
請求項１に記載の画像処理装置において、
前記特殊色画像生成部は、前記領域検出部が検出した領域の内側を印刷する領域として特殊色の現像剤で印刷する画像を生成することを特徴とする画像処理装置。
【請求項３】
請求項１または請求項２に記載の画像処理装置において、
前記特殊色画像生成部は、前記領域検出部が検出した位置標識の線を含む領域に印刷する画像を生成することを特徴とする画像処理装置。
【請求項４】
請求項１から請求項３のいずれか１項に記載の画像処理装置において、
前記領域検出部は、前記画像データに含まれ、前記印刷画像とともに媒体に印刷される色見本を検出し、
前記特殊色画像生成部は、前記領域検出部が検出した領域に加え、前記色見本が存在する領域に印刷する画像を生成することを特徴とする画像処理装置。
【請求項５】
請求項１から請求項４のいずれか１項に記載の画像処理装置において、
前記画像生成部が生成した印刷画像を有色の現像剤で媒体に印刷し、前記特殊色画像生成部が生成した印刷画像を特殊色の現像剤で前記媒体に印刷する画像印刷部を有する
ことを特徴とする画像処理装置。
【請求項６】
請求項１から請求項５のいずれか１項に記載の画像処理装置において、
前記位置標識は、前記画像印刷部が画像を印刷することができる印刷可能領域に配置され、前記媒体の裁断位置を表していることを特徴とする画像処理装置。
【発明の詳細な説明】
【技術分野】
【０００１】
本発明は、特殊色の現像剤を使用する画像処理装置に関する。
【背景技術】
【０００２】
従来の画像処理装置は、シアン色、イエロー色、マゼンタ色、ブラック色の４色のトナーに、光沢効果や金属感を表現するため透明トナーを加えた５色のトナーで印刷するものがある（例えば、特許文献１参照）。
このような画像処理装置では、透明トナーを載せる印刷用紙の範囲として、利用者が特定の領域、オブジェクト種別、用紙全面などの領域を指定することができるようにし、用紙全面を指定した場合、出力する印刷用紙に対してトナーを載せることが可能なすべての領域に透明トナーを載せるようにしている。
【先行技術文献】
【特許文献】
【０００３】
【特許文献１】特開２０１０−２２２０８５号公報（段落「００１３」〜段落「００１７」、図１）
【発明の概要】
【発明が解決しようとする課題】
【０００４】
しかしながら、従来の技術においては、特殊色の現像剤としての透明トナーを載せる印刷用紙の範囲を用紙全面の指定としてＡ３ノビ等のサイズの用紙に印刷をした後、その用紙の上下左右を裁断してＡ３サイズ等とする場合、裁断されて不要となる領域にまで透明トナーを載せることになり、特殊色の現像剤を浪費してしまうという問題がある。
本発明は、このような問題を解決することを課題とし、特殊色の現像剤の使用量を低減させることを目的とする。
【課題を解決するための手段】
【０００５】
そのため、本発明は、画像データを解析するデータ解析部と、前記データ解析部の解析結果に基づいて前記画像データから印刷画像を生成する画像生成部と、前記画像データに含まれ、前記印刷画像とともに媒体に印刷される位置標識を検出し、前記位置標識に基づいて領域を検出する領域検出部と、前記領域検出部が検出した領域に、特殊色の現像剤で印刷する画像を生成する特殊色画像生成部とを有することを特徴とする。
【発明の効果】
【０００６】
このようにした本発明は、特殊色の現像剤の使用量を低減させることができるという効果が得られる。
【図面の簡単な説明】
【０００７】
【図１】第１の実施例における画像処理装置の制御構成を示すブロック図
【図２】第１の実施例における画像処理装置の構成を示す概略側断面図
【図３】第１の実施例におけるＡ３ノビ用紙の印刷領域の説明図
【図４】第１の実施例における印刷データの説明図
【図５】第１の実施例におけるＡ３ノビ用紙を裁断した状態を示す説明図
【図６】第１の実施例における領域の説明図
【図７】第１の実施例における角トンボの説明図
【図８】第１の実施例における角トンボの拡大説明図
【図９】第１の実施例における角トンボの拡大説明図
【図１０】第１の実施例における特殊色の印刷画像の説明図
【図１１】第１の実施例における特殊色の印刷指定の説明図
【図１２】第１の実施例における印刷処理の流れを示すフローチャート
【図１３】第１の実施例における特殊色印刷領域検出処理の流れを示すフローチャート
【図１４】第１の実施例における特殊色印刷画像生成処理の流れを示すフローチャート
【図１５】第２の実施例における画像処理装置の制御構成を示すブロック図
【図１６】第２の実施例における印刷データの説明図
【図１７】第２の実施例における領域の説明図
【図１８】第２の実施例における特殊色の印刷画像の説明図
【図１９】第２の実施例における印刷処理の流れを示すフローチャート
【図２０】第２の実施例における裁断領域外特殊色印刷領域検出処理の流れを示すフローチャート
【発明を実施するための形態】
【０００８】
以下、図面を参照して本発明による画像処理装置の実施例を説明する。
【実施例１】
【０００９】
図２は第１の実施例における画像処理装置の構成を示す概略側断面図である。
図２において、画像処理装置１は、印刷を行うプリンタ等であり、転写装置２、３、４、５、６と、転写ベルト７と、定着器８と、用紙トレイ９と、用紙反転機１０とを有している。
５色の現像剤としてのトナーによるトナー画像を形成し、そのトナー画像を印刷用紙等の媒体（以下、「用紙」という。）に転写する転写装置２〜６は、従来のＣ（シアン色）、Ｍ（マゼンタ色）、Ｙ（イエロー色）、Ｋ（ブラック色）の有色のトナーに加え、特殊色のトナーの使用が可能であり、ＣＭＹＫトナーと透明トナーや、ＣＭＹトナーと透明トナーと白色トナー等の組み合わせが可能である。
【００１０】
４色のＣＭＹＫトナーに加え、５色目を透明トナーとした場合、用紙の最上層に透明トナーを載せるために転写装置２が透明トナーを取扱い、転写装置３〜６は順次Ｃ、Ｍ、Ｙ、Ｋのトナーを取扱う。また、４色のＣＭＹＫトナーに加え、５色目を白色トナーとした場合、用紙の最下層に白色トナーを載せるために転写装置２〜５は順次Ｃ、Ｍ、Ｙ、Ｋのトナーを取扱い、転写装置６が白色トナーを取扱う。
転写ベルト７は、用紙を搬送し、その転写ベルト７により搬送される用紙には転写装置２〜６により、トナー画像が転写される。
【００１１】
定着器８は、用紙に転写されたトナーを高熱で圧着し、トナーを用紙に定着させる。定着器８によりトナーが定着された用紙は、装置の外部に排出される。
用紙トレイ９は、用紙を収容するものであり、その用紙は給紙手段により１枚ずつ転写ベルト７へと搬送される。
用紙反転機１０は、用紙の両面に印刷を行う際に、その用紙の表裏面を反転する機構である。
【００１２】
図１は第１の実施例における画像処理装置の制御構成を示すブロック図である。
図１において、画像処理装置１は、システム制御部２０と、メモリ２１と、データ通信部２２と、データ解析部２３と、特殊色使用判断部２４と、データ描画部２５と、画像生成部２６と、領域検出部２７と、特殊色画像生成部２８と、画像印刷部２９とにより構成されている。
【００１３】
システム制御部２０は、ＣＰＵ（Ｃｅｎｔｒａｌ  Ｐｒｏｃｅｓｓｉｎｇ  Ｕｎｉｔ）等の制御手段で構成され、図示しない不揮発性のメモリ等に格納された制御プログラム（ソフトウェア）に基づいて画像形成装置１全体の動作を制御するものである。
メモリ２１は、電源遮断に伴い記憶したデータを消失する揮発性のメモリ領域であり、制御プログラムの実行に必要な情報や上位装置からの受信データ、画像データ等を一時的に格納する。
メモリ２１は、記憶領域として、特殊色動作２４５、用紙の印刷可能領域幅２５１、用紙の印刷可能領域高さ２５２、ＣＭＹＫ画像２６１、左Ｘ座標２７１、右Ｘ座標２７２、上Ｙ座標２７３、下Ｙ座標２７４、および特殊色画像２８１を備えている。
【００１４】
データ通信部２２は、通信回線等で接続された上位装置との間でデータの送受信制御を行い、上位装置から印刷を指示する画像データを受信する。
データ解析部２３は、データ通信部２２が受信した画像データを解析する。このデータ解析部２３は、画像データに含まれている各種指示内容を解読する。
特殊色使用判断部２４は、データ解析部２３が画像データを解析した結果に基づいて画像データに含まれる特殊色の使用方法を判断する。この特殊色使用判断部２４は、画像データに含まれる特殊色の適用範囲をメモリ２１の特殊色動作２４５に保持する。
【００１５】
データ描画部２５は、画像データの内容に従い、文字、図形、画像イメージを描画する。このデータ描画部２５は、メモリ２１に、画像処理装置１が印刷可能な各用紙のサイズとして、図３に示す印刷可能領域３１の幅および高さに該当する値を、用紙の印刷可能領域幅２５１および印刷可能領域高さ２５２として保持している。
画像生成部２６は、データ解析部２３の解析結果に基づいて画像データから印刷画像を生成するものであり、解析された画像データに基づいてデータ描画部２５で描画された画像をＣＭＹＫトナーで描画する印刷画像としてメモリ２１のＣＭＹＫ画像２６１に格納する。
【００１６】
領域検出部２７は、画像データに含まれ、画像生成部２６が生成した印刷画像とともに用紙に印刷される位置標識を検出し、その位置標識に基づいて領域を検出するものであり、画像生成部２６が生成したＣＭＹＫ画像２６１の印刷画像中に裁断領域を示す位置標識（位置マーク）としてのトンボを検出して領域を抽出する。この領域検出部２７は、特殊色のトナーを載せる領域座標を位置標識に基づいて抽出し、メモリ２１の左Ｘ座標２７１、右Ｘ座標２７２、上Ｙ座標２７３、下Ｙ座標２７４として保持する。
【００１７】
特殊色画像生成部２８は、領域検出部２７が検出した領域に、特殊色の現像剤としてのトナーで印刷する画像を生成するものであり、メモリ２１に保持された特殊色を載せる領域座標としての左Ｘ座標２７１、右Ｘ座標２７２、上Ｙ座標２７３、下Ｙ座標２７４に基づいて、特殊色用の印刷画像を生成し、メモリ２１の特殊色画像２８１に格納する。
【００１８】
画像印刷部２９は、画像生成部２６が生成した印刷画像を有色のトナーで媒体に印刷し、特殊色画像生成部２８が生成した印刷画像を特殊色のトナーで用紙に印刷するものである。この画像印刷部２９は、画像生成部２６が生成したＣＭＹＫ画像２６１を有色のトナーで印刷し、特殊色画像生成部２８が生成した特殊色画像２８１を特殊色のトナーで印刷し、その印刷順序は使用する特殊色のトナーの種類によって決定されるものとする。
【００１９】
例えば、特殊色のトナーを透明トナーとした場合、画像印刷部２９は、画像生成部２６が生成したＣＭＹＫ画像２６１を有色のトナーで印刷した後、特殊色画像生成部２８が生成した特殊色画像２８１を透明トナーで印刷し、また、特殊色のトナーを白色トナーとした場合、画像印刷部２９は、特殊色画像生成部２８が生成した特殊色画像２８１を白色トナーで印刷した後、画像生成部２６が生成したＣＭＹＫ画像２６１を有色のトナーで印刷する。
【００２０】
図３は第１の実施例におけるＡ３ノビ用紙の印刷領域の説明図である。
図３において、Ａ３ノビ用紙３０は、幅方向および高さ方向の大きさがＡ３判用紙よりやや大きいサイズの用紙である。
印刷可能領域３１は、画像処理装置がトナーを載せることが可能な領域であり、Ａ３ノビ用紙３０の大きさよりやや小さい大きさの領域となっている。
【００２１】
位置標識としての角トンボ３２、３３、３４、３５は、図１に示す画像印刷部２９が画像を印刷することができる印刷可能領域に配置され、Ａ３ノビ用紙３０を裁断する位置を表している。
センタトンボ３６、３７は、Ａ３ノビ用紙３０の中央の位置を示している。
この角トンボ３２、３３、３４、３５およびセンタトンボ３６、３７の情報は、画像データに含まれて上位装置から画像処理装置１へ送信される。
なお、本実施例では、使用する用紙をＡ３ノビ用紙３０として説明するが、それに限られることなく、Ａ４ノビ用紙やＢ４ノビ用紙としても良い。
【００２２】
図４は第１の実施例における印刷データの説明図であり、Ａ３ノビ用紙３０に画像データ４１を描画した状態を示している。
図５は第１の実施例におけるＡ３ノビ用紙を裁断した状態を示す説明図であり、図４に示す画像データが印刷されたＡ３ノビ用紙３０を、図３に示す角トンボ３２と角トンボ３４と結ぶ線に沿い、角トンボ３４と角トンボ３５と結ぶ線に沿い、角トンボ３２と角トンボ３５と結ぶ線に沿い、上下左右を裁断した状態を示している。
５１、５２、５３、５４は、裁断されて不要となる領域を示している。
【００２３】
図６は第１の実施例における領域の説明図であり、Ａ３ノビ用紙３０において、特殊色のトナーを載せない領域６１と、特殊色のトナーを載せる領域６２とを示している。図１に示す特殊色画像生成部２８は、領域６２に特殊色のトナーを載せるための特殊色画像を生成する。
図７は第１の実施例における角トンボの説明図であり、図３に示す角トンボ３２、３３、３４、３５を拡大した図である。
【００２４】
図１に示す領域検出部２７は、検出対象とする角トンボの画素の座標として、Ｘ方向における上左端の角トンボ３２の座標Ｘ１および座標Ｘ２、上右端の角トンボ３４のＸ座標として座標Ｘ３および座標Ｘ４、下左端の角トンボ３３のＸ座標として座標Ｘ５および座標Ｘ６、下右端の角トンボ３５のＸ座標として座標Ｘ７および座標Ｘ８を検出し、またＹ方向における上端の角トンボ３２の座標Ｙ１、下端の角トンボ３３の座標Ｙ２を検出する。
【００２５】
本実施例では、図中矢印Ｘが示す水平方向をＸ座標、矢印Ｙが示す垂直方向をＹ座標とし、左上の画素を原点Ｏとする。
なお、本実施例では、角トンボ３２、３３、３４、３５を２つのＬ字状の画素列としたが、それに限られることなく、位置標識として領域を表すことができるものであれば“「”や“＋”状の画素列としても良い。
【００２６】
図８および図９は第１の実施例における角トンボの拡大説明図である。
図８は特殊色のトナーを載せる領域６２を角トンボ３２の直線の内側とし、図９は特殊色のトナーを載せる領域６２を角トンボ３２の直線上とした状態を示している。
このように、図１に示す特殊色画像生成部２８は、領域検出部２７が検出した領域の内側を印刷する領域として特殊色の現像剤で印刷する画像を生成するようにしてもよく、領域検出部２７が検出した位置標識の線を含む領域に印刷する画像を生成するようにしても良い。
【００２７】
図１０は第１の実施例における特殊色の印刷画像の説明図であり、図１に示す特殊色画像生成部２８が生成する特殊色の印刷画像を示している。
図１０において、印刷画像１０１０は、特殊色のトナーを載せる領域を角トンボの内側とした場合の印刷画像を示し、印刷画像１０２０は、特殊色のトナーを載せる領域を図３に示す印刷可能領域３１全面とした場合の印刷画像を示している。
【００２８】
図１１は第１の実施例における特殊色の印刷指定の説明図であり、画像処理装置１と通信回線で接続された上位装置の表示部に表示される特殊色指定画面１１１を示している。この特殊色指定画面１１１は、プルダウン１１３を選択することにより、特殊色のトナーの適用範囲（クリアトナー適用範囲）を選択するための選択肢１１４が表示され、さらに選択肢１１４の中で選択された特殊色のトナーの適用範囲が選択中表示欄１１２に表示される。なお、本実施例では、特殊色のトナーの適用範囲を“全体にのせる（全範囲）”または“全体にのせる（トンボ外は除外）”が選択されるものとし、選択された特殊色のトナーの適用範囲を表す情報は画像データに含まれて画像処理装置１へ送信される。
【００２９】
上述した構成の作用について説明する。
まず、画像処理装置が行う印刷処理を図１２の第１の実施例における印刷処理の流れを示すフローチャートの図中Ｓで表すステップにしたがって図１を参照しながら説明する。
利用者は、上位装置において印刷を行う際に、図１１に示す印刷設定画面で特殊色のトナーの適用範囲を指示し、また印刷を開始する操作を行うものとする。利用者の操作を受付けた上位装置は、利用者の指示に従った画像データを画像処理装置１に送信する。
【００３０】
上位装置から画像データを受信した画像処理装置１のデータ通信部２２は、データ解析部２３に画像データの処理を依頼し、データ解析部２３は画像データを読み込む。画像データとは、一般的にＰＤＬ（Ｐａｇｅ  Ｄｅｓｃｒｉｐｔｉｏｎ  Ｌａｎｇｕａｇｅ）で記述されたデータであり、複数のデータで１つの指示を持つコマンドの並びで構成されている。
【００３１】
Ｓ１０１：データ解析部２３は、ＰＤＬデータを１バイトずつ読込む。
Ｓ１０２：データ解析部２３は、ＰＤＬデータの描画指示内容を解析する。
Ｓ１０３：データ解析部２３は、ＰＤＬデータが１つのコマンドとして成立するまでＳ１０１、Ｓ１０２の処理を行い、１つのコマンドとして成立するとコマンドの解析が終了したものとして処理をＳ１０４へ移行する。
【００３２】
Ｓ１０４：データ解析部２３は、１ページ分の画像データの解析が終了したか否かを判定し、１ページ分の画像データの解析が終了したと判定すると処理をＳ１０８へ移行し、終了していないと判定すると処理をＳ１０５へ移行する。
Ｓ１０５：１ページ分の画像データの解析が終了していないと判定したデータ解析部２３は、さらに、依頼されたコマンドが特殊色の動作を指示するコマンドか否かを判定し、特殊色の動作を指示するコマンドであると判定すると処理をＳ１０７へ移行し、特殊色の動作を指示するコマンドでないと判定すると処理をＳ１０６へ移行する。
【００３３】
Ｓ１０６：特殊色の動作を指示するコマンドでない、すなわちＣＭＹＫの４色トナーによる動作を指示するコマンドと判定したデータ解析部２３は、データ描画部２５に対して当該コマンドの描画処理を依頼する。なお、本実施例におけるデータ描画部２５が行う描画処理は、印刷装置として一般的な画像の描画処理であり、詳細な説明は省略する。
データ描画部２５は、依頼された１つのコマンドの指示内容からテキスト、図形、画像（イメージ）といった描画オブジェクトを作成し、１つの編集単位であるバンド単位にＤｉｓｐｌａｙＬｉｓｔと呼ばれる中間コードを生成する描画処理を行い、処理をＳ１０１へ移行する。なお、ここでの中間コードは、ＣＭＹＫの４色トナーによる描画内容であり、特殊色のトナーによる描画内容は含まない。
【００３４】
Ｓ１０７：特殊色の動作を指示するコマンドであると判定したデータ解析部２３は、特殊色使用判断部２４に対して当該コマンドの描画処理を依頼する。特殊色使用判断部２４は、コマンドの特殊色の動作の指示内容を特殊色動作２４５に保存し、処理をＳ１０１へ移行する。
Ｓ１０８：Ｓ１０４において、１ページ分の画像データの解析が終了したと判定したデータ解析部２３は、画像生成部２６に印刷画像の生成を依頼する。
印刷画像の生成を依頼された画像生成部２６は、全バンドの印刷画像の生成が完了したか否かを判定し、全バンドの印刷画像の生成が完了したと判定すると処理Ｓ２００へ移行し、全バンドの印刷画像の生成が完了していないと判定すると処理をＳ１０９へ移行する。
【００３５】
Ｓ１０９：全バンドの印刷画像の生成が完了していないと判定した画像生成部２６は、Ｓ１０６において生成した各バンドでの中間コードとしてのＤｉｓｐｌａｙＬｉｓｔを読み込む。
Ｓ１１０：画像生成部２６は、読み込んだＤｉｓｐｌａｙＬｉｓｔが中間コードの終了を示すか否かを判定し、中間コードの終了を示すと判定すると処理をＳ１０８へ移行し、中間コードの終了を示さないと判定すると処理をＳ１１１へ移行する。
【００３６】
Ｓ１１１：画像生成部２６は、中間コードとしてのＤｉｓｐｌａｙＬｉｓｔ中に定義されたテキスト、図形、画像（イメージ）からＣＭＹＫの４色の１ページ分の印刷画像を生成し、ＣＭＹＫ画像２６１に格納し、処理をＳ１０９へ移行する。なお、本実施例における画像生成部２６が行うＣＭＹＫの４色の印刷画像の生成処理は、従来の一般的な印刷装置の処理であり、詳細な説明は省略する。
Ｓ２００：Ｓ１０８において、データ解析部２３が全バンドの印刷画像の生成が完了したと判定すると、画像生成部２６は、領域検出部２７に特殊色の印刷領域の検出を依頼する。なお、領域検出部２７が行う特殊色の印刷領域の検出処理の詳細は後述する。
【００３７】
Ｓ３００：特殊色の描画領域を検出した領域検出部２７は、特殊色画像生成部２８に特殊色の印刷画像の生成を依頼する。なお、特殊色画像生成部２８が行う特殊色の印刷画像の生成処理の詳細は後述する。
Ｓ１１２：特殊色の印刷画像を生成した特殊色画像生成部２８は、画像印刷部２９に１ページの印刷を依頼し、画像印刷部２９は、ＣＭＹＫの印刷画像であるＣＭＹＫ画像２６１および特殊色の印刷画像である特殊色画像２８１を印刷し、本処理を終了する。
【００３８】
このように画像処理装置１の領域検出部２７は用紙の裁断位置を示す位置標識を検出し、特殊色画像生成部２８は領域検出部２７が検出した裁断位置の内側の領域に特殊色の現像剤の画像を生成するようにしたことにより、特殊色の現像剤の使用量を低減させることができる。
次に、領域検出部２７が行う特殊色の印刷領域の検出処理を図１３の第１の実施例における特殊色印刷領域検出処理の流れを示すフローチャートの図中Ｓで表すステップにしたがって図１を参照しながら説明する。なお、本処理は、上述した図１２のＳ２００において行われる処理である。
【００３９】
Ｓ２０１：領域検出部２７は、印刷可能領域を特殊色の印刷領域とするため、用紙全面に特殊色のトナーを載せる場合の領域座標である左Ｘ座標２７１、右Ｘ座標２７２、上Ｙ座標２７３、下Ｙ座標２７４の初期値として、データ描画部２５から処理中の用紙の印刷可能領域サイズを取得する。
領域検出部２７は、左Ｘ座標２７１を“０”、右Ｘ座標２７２を図３に示す印刷可能領域３１の幅である用紙の印刷可能領域幅２５１、上Ｙ座標２７３を“０”、下Ｙ座標２７４を図３に示す印刷可能領域３１の高さである用紙の印刷可能領域高さ２５２として印刷領域の初期値を設定する。
【００４０】
Ｓ２０２：領域検出部２７は、特殊色使用判断部２４（特殊色動作２４５）から特殊色のトナーの適用範囲を取得し、その適用範囲が“全体にのせる（全範囲）”（以下、「全範囲」という。）か“全体にのせる（トンボ外は除外）” （以下、「トンボ外は除外」という。）であるかを判定し、適用範囲が「トンボ外は除外」であると判定すると処理をＳ２０３へ移行し、適用範囲が全範囲であると判定するとＳ２０１で設定した初期値をそのまま特殊色のトナーの描画範囲である印刷領域として処理を終了する。
【００４１】
Ｓ２０３：特殊色のトナーの適用範囲が「トンボ外は除外」であると判定した領域検出部２７は、画像生成部２６が生成したＣＭＹＫ画像２６１の先頭（上）ラインから垂直方向（図４に示すＹ方向）の中央ラインまで１ラインずつ走査する。
Ｓ２０４：領域検出部２７は、走査した１ラインに４箇所の有色の画素（図７に示す上左端の角トンボ３２および上右端の角トンボ３３の画素）、すなわち右端および左端に有色の画素が存在するか否かを判定し、存在すると判定すると処理をＳ２０５へ移行し、存在しないと判定すると処理をＳ２０８へ移行する。
【００４２】
Ｓ２０５：走査した１ラインに４箇所の有色の画素を検出した領域検出部２７は、初めて走査した１ラインに４箇所の有色の画素、すなわち右端および左端に有色の画素が出現したか否かを判定し、初めて出現したと判定すると処理をＳ２０６へ移行し、初めての出現でないと判定すると処理をＳ２０７へ移行する。
Ｓ２０６：初めて４箇所の有色の画素が出現したと判定した領域検出部２７は、図７に示す４箇所の有色の画素のＸ座標である上左端の角トンボ３２の座標Ｘ１および座標Ｘ２、上右端の角トンボ３４のＸ座標として座標Ｘ３および座標Ｘ４をメモリ２１に保存し、処理をＳ２０８へ移行する。
【００４３】
Ｓ２０７：一方、４箇所の有色の画素の出現は初めてでないと判定した領域検出部２７は、検出した４箇所の有色の画素のＸ座標（図７に示す上左端の角トンボ３２の座標Ｘ１および座標Ｘ２、上右端の角トンボ３４のＸ座標として座標Ｘ３および座標Ｘ４）が前のラインのＸ座標と同じであるか否かを判定し、同じであると判定すると処理をＳ２０８へ移行し、同じでないと判定すると処理をＳ２１０へ移行する。
Ｓ２０８：領域検出部２７は、走査するラインを垂直方向（図４に示すＹ方向）に１ライン更新し、参照位置を下方向に更新する。
【００４４】
Ｓ２０９：領域検出部２７は、用紙の垂直方向（図４に示すＹ方向）における中央の位置まで走査したか否かを判定し、中央の位置まで走査したと判定すると本処理を終了し、中央の位置まで走査していないと判定すると処理をＳ２０３へ移行してＳ２０３以降の次のラインを走査する処理を行う。
Ｓ２１０：Ｓ２０７において、検出した４箇所の有色の画素のＸ座標が前のラインのＸ座標と同じでないと判定した領域検出部２７は、走査したラインが角トンボの水平線（図７に示す水平線３２１、水平線３４１）であるか否かの判定を行う。
【００４５】
ここで、水平線であるか否かの判定は、図７に示すように、
左端において、有色画素の開始位置３２１ａ＜座標Ｘ１＜座標Ｘ２＝有色画素終了位置３２１ｂ  ・・・（条件１）
右端において、有色画素の開始位置３４１ａ＝座標Ｘ３＜座標Ｘ４＜有色画素終了位置３４１ｂ  ・・・（条件２）
の２つの条件を満たすか否かで行い、上記の条件１および条件２の２つの条件を満たす場合、水平線であると判定し、どちらか一方の条件を満たさない場合は水平線でないと判定する。
【００４６】
領域検出部２７は、走査したラインが水平線であると判定すると現在の垂直方向の位置座標Ｙ１を上端のＹ座標としてメモリ２１に保存して処理をＳ２１１へ移行し、水平線でないと判定すると本処理を終了する。
このようにして領域検出部２７は、図７に示す上左端の角トンボ３２および上右端の角トンボ３４を検出して特殊色のトナーの適用範囲の上端を検出する。なお、上述したＳ２０３〜Ｓ２１０の処理において図７に示す上左端の角トンボ３２および上右端の角トンボ３４を検出できなかったときは本処理を終了する。
【００４７】
Ｓ２１１：特殊色のトナーの適用範囲の上端を検出した領域検出部２７は、画像生成部２６が生成したＣＭＹＫ画像２６１の終端（下）ラインから垂直方向（図４に示すＹ方向）の中央ラインまで１ラインずつ走査する。
Ｓ２１２：領域検出部２７は、走査した１ラインに４箇所の有色の画素（図７に示す下左端の角トンボ３３および下右端の角トンボ３５の画素）、すなわち右端および左端に有色の画素が存在するか否かを判定し、存在すると判定すると処理をＳ２１３へ移行し、存在しないと判定すると処理をＳ２１４へ移行する。
【００４８】
Ｓ２１３：走査した１ラインに４箇所の有色の画素を検出した領域検出部２７は、その４箇所の有色の画素のＸ座標がＳ２０６で保存したＸ座標と同じであるか否かを判定し、同じであると判定すると処理をＳ２１４へ移行し、同じでないと判定すると処理をＳ２１６へ移行する。
【００４９】
ここで、領域検出部２７は、図７に示すように、検出した４箇所の有色の画素のＸ座標である座標Ｘ５、Ｘ６、Ｘ７、Ｘ８が、Ｓ２０６で保存したＸ座標である座標Ｘ１、Ｘ２、Ｘ３、Ｘ４とを比較し、座標Ｘ５＝座標Ｘ１、かつ座標Ｘ６＝座標Ｘ２、かつ座標Ｘ７＝座標Ｘ３、かつ座標Ｘ８＝座標Ｘ４であるとき、検出した４箇所の有色の画素のＸ座標がＳ２０６で保存したＸ座標と同じであると判定する。
【００５０】
Ｓ２１４：領域検出部２７は、走査するラインを垂直方向（図４に示すＹ方向）に１ライン更新し、参照位置を上方向に更新する。
Ｓ２１５：領域検出部２７は、用紙の垂直方向（図４に示すＹ方向）における中央の位置まで走査したか否かを判定し、中央の位置まで走査したと判定すると本処理を終了し、中央の位置まで走査していないと判定すると処理をＳ２１１へ移行してＳ２１１以降の次のラインを走査する処理を行う。
Ｓ２１６：Ｓ２１３において、検出した４箇所の有色の画素のＸ座標がＳ２０６で保存したＸ座標と同じでないと判定した領域検出部２７は、走査したラインが角トンボの水平線（図７に示す水平線３３１、水平線３５１）であるか否かの判定を行う。
【００５１】
ここで、水平線であるか否かの判定は、図７に示すように、
左端において、有色画素の開始位置３３１ａ＜座標Ｘ５＜座標Ｘ６＝有色画素終了位置３３１ｂ  ・・・（条件３）
右端において、有色画素の開始位置３５１ａ＝座標Ｘ７＜座標Ｘ８＜有色画素終了位置３５１ｂ  ・・・（条件４）
の２つの条件を満たすか否かで行い、上記の条件３および条件４の２つの条件を満たす場合、水平線であると判定し、どちらか一方の条件を満たさない場合は水平線でないと判定する。
【００５２】
領域検出部２７は、走査したラインが水平線であると判定すると現在の垂直方向の位置座標Ｙ２を上端のＹ座標としてメモリ２１に保存して処理をＳ２１７へ移行し、水平線でないと判定すると本処理を終了する。
このようにして領域検出部２７は、図７に示す下左端の角トンボ３３および下右端の角トンボ３５を検出して特殊色のトナーの適用範囲の下端を検出する。なお、上述したＳ２１１〜Ｓ２１６の処理において図７に示す下左端の角トンボ３３および下右端の角トンボ３５を検出できなかったときは本処理を終了する。
【００５３】
Ｓ２１７：領域検出部２７は、検出した図７に示す座標Ｘ１を左Ｘ座標２７１、座標Ｘ４を右Ｘ座標２７２、座標Ｙ１を上Ｙ座標２７３、座標Ｙ２を下Ｙ座標２７４に保存して本処理を終了する。
このとき、トンボの線上を特殊色トナーの印刷領域の範囲外とする場合は、図８に示すように、左Ｘ座標２７１に“１”を加算、右Ｘ座標２７２から“１”を減算、上Ｙ座標２７３に“１”を加算、下Ｙ座標２７４から“１”を減算して補正するようにしても良い。なお、図９に示すように、トンボの線上を特殊色トナーの印刷領域の範囲内とする場合は、左Ｘ座標２７１、右Ｘ座標２７２、上Ｙ座標２７３、下Ｙ座標２７４を補正することなく、そのままにすればよい。
【００５４】
また、Ｓ２０１〜Ｓ２１６の処理により領域検出部２７が上端および下端が検出できなかった場合、Ｓ２０１で設定した図３に示す印刷可能範囲３１の初期値が、そのまま特殊色トナーの印刷領域となる。
次に、特殊色画像生成部２８が行う特殊色の印刷画像の生成処理を図１４の第１の実施例における特殊色印刷画像生成処理の流れを示すフローチャートの図中Ｓで表すステップにしたがって図１および図１０を参照しながら説明する。なお、本処理は、上述した図１２のＳ３００において行われる処理である。
【００５５】
特殊色画像生成部２８は、図１０に示すように、特殊色トナーの印刷画像もＣＭＹＫの４色トナーの印刷画像と同じバンドの高さでバンド分割する。
Ｓ３０１：特殊色画像生成部２８は、メモリ２１の上Ｙ座標２７３を参照し、その上Ｙ座標２７３が“０”か否か、すなわち先頭に空白ラインが存在するか否か判定し、上Ｙ座標２７３が“０”である（先頭に空白ラインが存在しない）と判定すると処理をＳ３０３へ移行し、上Ｙ座標２７３が“０”でない（先頭に空白ラインが存在する）と判定すると処理をＳ３０２へ移行する。
【００５６】
Ｓ３０２：先頭に空白ラインが存在すると判定した特殊色画像生成部２８は、上Ｙ座標２７３が示すＹ座標まで空白ラインとしてスキップする。図１０に示す特殊色トナーの印刷画像の例では、上から二番目のバンド１０１２までスキップする空白ラインが存在する。
Ｓ３０３：特殊色画像生成部２８は、メモリ２１の下Ｙ座標２７４を参照し、生成する特殊色トナーの印刷画像のＹ座標が下Ｙ座標２７４に到達したか否か、すなわち下Ｙ座標２７４のラインまで特殊色トナーの印刷画像（中間部バンドデータ）を生成したか否かを判定し、生成する特殊色トナーの印刷画像のＹ座標が下Ｙ座標２７４に到達したと判定すると処理をＳ３０５へ移行し、到達していないと判定すると処理をＳ３０４へ移行する。
【００５７】
Ｓ３０４：特殊色画像生成部２８は、メモリ２１の左Ｘ座標２７１、右Ｘ座標２７２、下Ｙ座標２７４を参照し、下Ｙ座標２７４のラインまで左Ｘ座標２７１および右Ｘ座標２７２の二点間に特殊色トナーを載せた特殊色トナーの印刷画像（中間部バンドデータ）を図１７に示す特殊色のトナーを載せる領域６２として生成し、特殊色画像２８１に格納する。
Ｓ３０５：Ｓ３０３において、下Ｙ座標２７４のラインまで特殊色トナーの印刷画像（中間部バンドデータ）を生成したと判定、すなわち中間部バンドデータをすべて作成したと判定した特殊色画像生成部２８は、メモリ２１の下Ｙ座標２７４を参照し、後端に空白ラインが存在するか否か判定し、後端に空白ラインが存在しないと判定すると本処理を終了し、後端に空白ラインが存在すると判定すると処理をＳ３０６へ移行する。
【００５８】
Ｓ３０６：後端に空白ラインが存在すると判定した特殊色画像生成部２８は、最下ラインまで空白ラインとしてスキップし、本処理を終了する。
以上説明したように、第１の実施例では、用紙の裁断位置を示す位置標識を検出し、その裁断位置の内側の領域に特殊色の現像剤の画像を生成するようにしたことにより、特殊色の現像剤の使用量を低減させることができるという効果が得られる。
【実施例２】
【００５９】
図１５は第２の実施例における画像処理装置の制御構成を示すブロック図である。なお、上述した第１の実施例と同様の部分は、同一の符号を付してその説明を省略する。
図１５において、メモリ２１は、特殊色動作２４５、用紙の印刷可能領域幅２５１、用紙の印刷可能領域高さ２５２、ＣＭＹＫ画像２６１、左Ｘ座標２７１、右Ｘ座標２７２、上Ｙ座標２７３、下Ｙ座標２７４、および特殊色画像２８１に加え、領域外１左Ｘ座標２７５、領域外１右Ｘ座標２７６、領域外１上Ｙ座標２７７、領域外１下Ｙ座標２７８、領域外２左Ｘ座標２７９、領域外２右Ｘ座標２７１０、領域外２上Ｙ座標２７１１、および領域外２下Ｙ座標２７１２を追加した構成としている。
【００６０】
図１６は第２の実施例における印刷データの説明図である。
本実施例では、図１６に示すように、図４に示す第１の実施例のＡ３ノビ用紙３０に画像データ４１を描画した状態において、画像データ４１の外側に、グレースケール色見本１７２およびカラー色見本１７３を追加したものとしている。
図１７は第２の実施例における領域の説明図であり、Ａ３ノビ用紙３０において、特殊色のトナーを載せない領域１８１と、特殊色のトナーを載せる領域６２とに加え、本実施例では、図１６に示すグレースケール色見本１７２およびカラー色見本１７３のそれぞれに対応する領域を、特殊色のトナーを載せる領域１８２、１８３としている。
【００６１】
図１８は第２の実施例における特殊色の印刷画像の説明図であり、図１５に示す特殊色画像生成部２８が生成する特殊色の印刷画像を示している。
バンド１９１１以降が裁断されて不要となる領域（以下、「裁断領域外」という。）で特殊色のトナーを載せる領域１８２であり、バンド１９２１以降が裁断領域外で特殊色のトナーを載せる領域１８３である。
本実施例では、図１５に示す領域検出部２７は、画像データに含まれ、印刷画像とともに媒体に印刷される色見本としての図１６に示すグレースケール色見本１７２およびカラー色見本１７３を検出し、特殊色画像生成部２８は、領域検出部２７が検出した図１７に示す特殊色のトナーを載せる領域６２に加え、色見本が存在する領域１８２、１８３に印刷する画像を生成する。
【００６２】
なお、第１の実施例では、Ａ３ノビ用紙を横置きとして説明したが、一般的な印刷装置では、図１８に示すように、Ａ３ノビ用紙は縦置き（長辺が、図中矢印Ｙが示す上下方向）で描画処理を行う。本実施例では、Ａ３ノビ用紙を縦置きとして以降の処理を説明するものとする。
上述した構成の作用について説明する。
まず、画像処理装置が行う印刷処理を図１９の第２の実施例における印刷処理の流れを示すフローチャートの図中Ｓで表すステップにしたがって図１５を参照しながら説明する。
【００６３】
利用者は、上位装置において印刷を行う際に、図１１に示す印刷設定画面で特殊色のトナーの適用範囲を指示し、また印刷を開始する操作を行うものとする。利用者の操作を受付けた上位装置は、利用者の指示に従った画像データを画像処理装置１に送信する。
上位装置から画像データを受信した画像処理装置１のデータ通信部２２は、データ解析部２３に画像データの処理を依頼し、データ解析部２３は画像データを読み込む。画像データとは、一般的にＰＤＬで記述されたデータであり、複数のデータで１つの指示を持つコマンドの並びで構成されている。
【００６４】
Ｓ１０１〜Ｓ１１２、Ｓ２００：図１２に示すＳ１０１〜Ｓ１１２、Ｓ２００と同様の処理なのでその説明を省略する。
Ｓ４００：画像生成部２６は、領域検出部２７に裁断領域外で特殊色の印刷領域の検出を依頼する。なお、領域検出部２７が行う裁断領域外の特殊色の印刷領域の検出処理の詳細は後述する。
Ｓ５００：特殊色の描画領域を検出した領域検出部２７は、特殊色画像生成部２８に特殊色の印刷画像の生成を依頼する。なお、特殊色画像生成部２８が行う特殊色の印刷画像の生成処理の詳細は後述する。
【００６５】
Ｓ１１２：特殊色の印刷画像を生成した特殊色画像生成部２８は、画像印刷部２９に１ページの印刷を依頼し、画像印刷部２９は、ＣＭＹＫの印刷画像であるＣＭＹＫ画像２６１および特殊色の印刷画像である特殊色画像２８１を印刷し、本処理を終了する。
次に、領域検出部２７が行う裁断領域外の特殊色の印刷領域の検出処理を図２０の第２の実施例における裁断領域外特殊色印刷領域検出処理の流れを示すフローチャートの図中Ｓで表すステップにしたがって図１５を参照しながら説明する。なお、本処理は、上述した図１９のＳ４００において行われる処理である。
【００６６】
Ｓ４０１：領域検出部２７は、特殊色使用判断部２４（特殊色動作２４５）から特殊色のトナーの適用範囲を取得し、その適用範囲が“全体にのせる（全範囲）”（以下、「全範囲」という。）か“全体にのせる（トンボ外は除外）” （以下、「トンボ外は除外」という。）であるかを判定し、適用範囲が「トンボ外は除外」であると判定すると処理をＳ４０２へ移行し、適用範囲が全範囲であると判定すると処理を終了する。
【００６７】
Ｓ４０２：特殊色のトナーの適用範囲が「トンボ外は除外」であると判定した領域検出部２７は、メモリ２１の左Ｘ座標２７１、右Ｘ座標２７２、上Ｙ座標２７３、用紙の印刷可能領域幅２５１および用紙の印刷可能領域高さ２５２をトンボ位置として読み込む。
Ｓ４０３：領域検出部２７は、用紙の印刷可能領域高さ２５２の半分の高さから上側と下側に分けて裁断領域外の特殊色トナーを載せる領域を検出するため、ＣＭＹＫ画像２６１における用紙の印刷可能領域高さ２５２の半分の高さ（図１８の矢印Ｙが示す垂直方向における中央）のラインを走査する先頭のラインとする。
【００６８】
Ｓ４０４：領域検出部２７は、画像生成部２６が生成したＣＭＹＫ画像２６１の中央ラインから垂直方向（図１８に示すＹ方向）の上端ラインまで１ラインずつ走査する。
Ｓ４０５：領域検出部２７は、走査した１ラインにおいて右Ｘ座標２７２より右側に有色の画素（図１８に示すグレースケール色見本１７２の画素）が存在するか否かを判定し、存在すると判定すると処理をＳ４０７へ移行し、存在しないと判定すると処理をＳ４０６へ移行する。
【００６９】
Ｓ４０６：領域検出部２７は、既に右Ｘ座標２７２より右側に有色の画素の存在を検出していたか否かを判定し、検出していないと判定すると処理をＳ４１１へ移行し、検出していると判定すると処理をＳ４１３へ移行する。
Ｓ４０７：走査した１ラインにおいて右Ｘ座標２７２より右側に有色の画素を検出した領域検出部２７は、初めて走査した１ラインに有色の画素が出現したか否かを判定し、初めて出現したと判定すると処理をＳ４０８へ移行し、初めての出現でないと判定すると処理をＳ４１０へ移行する。
【００７０】
Ｓ４０８：領域検出部２７は、有色画素の幅がトンボの線幅以上であるか否かを判定し、有色画素の幅がトンボの線幅以上であると判定すると処理をＳ４０９へ移行し、有色画素の幅がトンボの線幅以上でないと判定すると処理をＳ４１１へ移行する。
Ｓ４０９：有色画素の幅がトンボの線の幅以上であると判定した領域検出部２７は、図１８に示す左側の有色の画素のＸ座標１９１を領域外１左Ｘ座標２７５、右側の有色の画素のＸ座標１９２を領域外１右Ｘ座標２７６、ライン位置１９４を領域外１下Ｙ座標２７８にそれぞれ保存して処理をＳ４１１へ移行する。
【００７１】
Ｓ４１０：Ｓ４０７において、初めての出現でないと判定した領域検出部２７は、図１８に示すグレースケール色見本１７２の画素が出現するため、現在のライン位置を領域外１上Ｙ座標２７７に格納して更新する。なお、最後のライン位置は、ライン位置１９３となり、領域外１上Ｙ座標２７７に格納される。
Ｓ４１１：領域検出部２７は、走査するラインを垂直方向（図１８に示すＹ方向）に１ライン更新し、参照位置を上方向に更新する。
【００７２】
Ｓ４１２：領域検出部２７は、用紙の垂直方向（図１８に示すＹ方向）における上端のトンボの位置まで走査したか否かを判定し、上端のトンボの位置まで走査したと判定すると処理をＳ４１３へ移行し、上端のトンボの位置まで走査していないと判定すると処理をＳ４０４へ移行してＳ４０４以降の次のラインを走査する処理を行う。
このようにして領域検出部２７は、上側の裁断領域外の特殊色の印刷領域の検出を行い、右Ｘ座標２７２より右側に有色の画素が出現しなくなったら、次に下側の裁断領域外の特殊色の印刷領域の検出を行う。
【００７３】
Ｓ４１３：領域検出部２７は、メモリ２１の下Ｙ座標２７４、用紙の印刷可能領域幅２５１および用紙の印刷可能領域高さ２５２をトンボ位置として読み込む。
Ｓ４１４：領域検出部２７は、ＣＭＹＫ画像２６１における用紙の印刷可能領域高さ２５２の半分の高さ（図１８の矢印Ｙが示す垂直方向における中央）のラインを走査する先頭のラインとする。
Ｓ４１５：領域検出部２７は、画像生成部２６が生成したＣＭＹＫ画像２６１の中央ラインから垂直方向（図１８に示すＹ方向）の下端ラインまで１ラインずつ走査する。
【００７４】
Ｓ４１６：領域検出部２７は、走査した１ラインにおいて右Ｘ座標２７２より右側に有色の画素（図１８に示すカラー色見本１７３の画素）が存在するか否かを判定し、存在すると判定すると処理をＳ４１８へ移行し、存在しないと判定すると処理をＳ４１７へ移行する。
Ｓ４１７：領域検出部２７は、既に右Ｘ座標２７２より右側に有色の画素の存在を検出していたか否かを判定し、検出していないと判定すると処理をＳ４２２へ移行し、検出していると判定すると本処理を終了する。
【００７５】
Ｓ４１８：走査した１ラインにおいて右Ｘ座標２７２より右側に有色の画素を検出した領域検出部２７は、初めて走査した１ラインに有色の画素が出現したか否かを判定し、初めて出現したと判定すると処理をＳ４１９へ移行し、初めての出現でないと判定すると処理をＳ４２１へ移行する。
Ｓ４１９：領域検出部２７は、有色画素の幅がトンボの線幅以上であるか否かを判定し、有色画素の幅がトンボの線幅以上であると判定すると処理をＳ４２０へ移行し、有色画素の幅がトンボの線幅以上でないと判定すると処理をＳ４２２へ移行する。
【００７６】
Ｓ４２０：有色画素の幅がトンボの線幅以上であると判定した領域検出部２７は、図１８に示す左側の有色の画素のＸ座標１９５を領域外２左Ｘ座標２７９、右側の有色の画素のＸ座標１９６を領域外２右Ｘ座標２７１０、ライン位置１９７を領域外２上Ｙ座標２７１１にそれぞれ保存して処理をＳ４２２へ移行する。
Ｓ４２１：Ｓ４１８において、初めての出現でないと判定した領域検出部２７は、図１８に示すカラー色見本１７３の画素が出現するため、現在のライン位置を領域外２下Ｙ座標２７１２に格納して更新する。なお、最後のライン位置は、ライン位置１９８となり、領域外２下Ｙ座標２７１２に格納される。
【００７７】
Ｓ４２２：領域検出部２７は、走査するラインを垂直方向（図１８に示すＹ方向）に１ライン更新し、参照位置を下方向に更新する。
Ｓ４２３：領域検出部２７は、用紙の垂直方向（図１８に示すＹ方向）における下端のトンボの位置まで走査したか否かを判定し、下端のトンボの位置まで走査したと判定すると本処理を終了し、下端のトンボの位置まで走査していないと判定すると処理をＳ４１５へ移行してＳ４１５以降の次のラインを走査する処理を行う。
【００７８】
このようにして領域検出部２７は、下側の裁断領域外の特殊色の印刷領域の検出を行い、右Ｘ座標２７２より右側に有色の画素が出現しなくなったら、裁断領域外の特殊色の印刷領域の検出処理を終了する。
次に、本実施例の特殊色画像生成部２８が行う特殊色の印刷画像の生成処理を説明する。
本実施例の特殊色の印刷画像の生成処理は、図１４に示す第１の実施例の特殊色の印刷画像の生成処理と同様であるが、Ｓ３０４の処理が異なっている。そのＳ３０４の処理を以下に説明する。
【００７９】
Ｓ３０４：特殊色画像生成部２８は、メモリ２１の左Ｘ座標２７１、右Ｘ座標２７２、下Ｙ座標２７４に加え、領域外１左Ｘ座標２７５、領域外１右Ｘ座標２７６、領域外１上Ｙ座標２７７、領域外１下Ｙ座標２７８、領域外２左Ｘ座標２７９、領域外２右Ｘ座標２７１０、領域外２上Ｙ座標２７１１、および領域外２下Ｙ座標２７１２を参照し、下Ｙ座標２７４のラインまで図１７に示す特殊色のトナーを載せる領域６２および特殊色のトナーを載せる領域１８２、１８３に特殊色トナーを載せた特殊色トナーの印刷画像（中間部バンドデータ）を生成し、特殊色画像２８１に格納する。
【００８０】
以上説明したように、第２の実施例では、第１の実施例の効果に加え、裁断位置の外側の領域の色見本に対しては特殊色の現像剤の画像を生成し、その色見本に特殊色の現像剤を載せるようにしたことにより、印刷物の色合いを確認することができるという効果が得られる。
なお、第１の実施例および第２の実施例では、特殊色の現像剤を透明のトナーとして説明したが、それに限られるものでなく、特殊色の現像剤を白色のトナーとしても良い。
【符号の説明】
【００８１】
１    画像処理装置
２、３、４、５、６  転写装置
７    転写ベルト
８    定着器
９    用紙トレイ
２０  システム制御部
２１  メモリ
２２  データ通信部
２３  データ解析部
２４  特殊色使用判断部
２５  データ描画部
２６  画像生成部
２７  領域検出部
２８  特殊色画像生成部
２９  画像印刷部
【図１】
2014006445.tif 000003
【図２】
2014006445.tif 000004
【図３】
2014006445.tif 000005
【図４】
2014006445.tif 000006
【図５】
2014006445.tif 000007
【図６】
2014006445.tif 000008
【図７】
2014006445.tif 000009
【図８】
2014006445.tif 000010
【図９】
2014006445.tif 000011
【図１０】
2014006445.tif 000012
【図１１】
2014006445.tif 000013
【図１２】
2014006445.tif 000014
【図１３】
2014006445.tif 000015
【図１４】
2014006445.tif 000016
【図１５】
2014006445.tif 000017
【図１６】
2014006445.tif 000018
【図１７】
2014006445.tif 000019
【図１８】
2014006445.tif 000020
【図１９】
2014006445.tif 000021
【図２０】
2014006445.tif 000022